(57)【特許請求の範囲】
【請求項１】
第１基地局によってサービングされる第１端末の通信方法において、
前記第１基地局と隣接する第２基地局から前記第１端末への干渉または前記第２基地局によってサービングされる第２端末から前記第１端末への干渉に対して干渉制御を行うためのメッセージを生成するステップと、
前記第２基地局が前記干渉制御を行うか、または前記第１基地局と前記第２基地局とが協力して前記干渉制御を行うように前記メッセージを前記第２基地局に送信するステップと、
を含み、
前記メッセージを前記第２基地局に送信するステップは、共有チャネルまたはランダムアクセスチャネルを用いて前記メッセージを前記第２基地局に送信するステップを含むことを特徴とする第１端末の通信方法。
【請求項２】
前記第１基地局に前記第１端末のチャネル情報を送信するステップと、
前記第１基地局から前記第１端末で干渉が発生していることを表す情報を受信するステップと、
をさらに含み、
前記メッセージを前記第２基地局に送信するステップは、前記第１端末で干渉が発生していることを表す情報を受信したことに応答し、前記メッセージを前記第２基地局に送信するステップであることを特徴とする請求項１に記載の第１端末の通信方法。
【請求項３】
前記干渉制御の実行結果または前記メッセージに対する応答を、前記第１基地局と前記第２基地局との間でリレーするステップをさらに含むことを特徴とする請求項１に記載の第１端末の通信方法。
【請求項４】
前記第２基地局から前記干渉制御の必要性に関する情報を受信するステップと、
前記干渉制御の必要性に関する情報を前記第１基地局に送信するステップと、をさらに含み、
前記干渉制御を行うためのメッセージを生成するステップは、前記干渉制御の必要性に関する情報に対する前記第１基地局の応答に基づいて、前記干渉制御を行うためのメッセージを生成するステップであることを特徴とする請求項１に記載の第１端末の通信方法。
【請求項５】
前記第１端末のチャネル情報に基づいて前記第２基地局から前記第１端末への干渉または前記第２基地局によってサービングされる第２端末から前記第１端末への干渉を測定するステップをさらに含み、
前記メッセージを前記第２基地局に送信するステップは、前記第２基地局から前記第１端末への干渉または前記第２基地局によってサービングされる第２端末から前記第１端末への干渉に応じて前記メッセージを前記第２基地局に送信するステップであることを特徴とする請求項１に記載の第１端末の通信方法。
【請求項６】
前記第１基地局はセルラー通信システムでのマクロ基地局であり、前記第２基地局はフェムト基地局またはピコ基地局を含む小型基地局であることを特徴とする請求項１に記載の第１端末の通信方法。
【請求項７】
前記第１端末への干渉に対して干渉制御を行うためのメッセージを生成するステップは、前記第２基地局が前記第１基地局と前記第１端末との間のチャネル情報及び前記第２基地局と前記第１端末との間のチャネル情報、または前記第１基地局と前記第１端末との間のチャネル情報及び前記第１基地局と前記第２端末との間のチャネル情報を把握するために用いられるフィードバックメッセージを、前記干渉制御を行うためのメッセージとして生成するステップを含むことを特徴とする請求項１に記載の第１端末の通信方法。
【請求項８】
前記第１端末への干渉に対して干渉制御を行うためのメッセージを生成するステップは、前記第１基地局と前記第１端末との間のチャネル情報及び周知の信号を結合して前記メッセージを生成するステップであることを特徴とする請求項１に記載の第１端末の通信方法。
【請求項９】
前記第１端末への干渉に対して干渉制御を行うためのメッセージを生成するステップは、前記第１基地局と前記第１端末との間のチャネル情報をリファレンス信号に加工することによって、前記メッセージを生成するステップであることを特徴とする請求項１に記載の第１端末の通信方法。
【請求項１０】
前記第２基地局から前記第１端末への干渉または前記第２端末から前記第１端末への干渉を認知するステップをさらに含み、
前記第２基地局から前記第１端末への干渉または前記第２端末から前記第１端末への干渉に対して干渉制御を行うためのメッセージを生成するステップは、前記認知された干渉に応じて前記メッセージを生成するステップであり、
前記メッセージを前記第２基地局に送信するステップは、前記認知された干渉に応じて前記メッセージを送信するステップであることを特徴とする請求項１に記載の第１端末の通信方法。
【請求項１１】
前記第２基地局から前記第１端末への干渉を認知するステップは、前記第１基地局から受信された信号に対する信号対干渉プラス雑音比、パケットエラー率、ビットエラー率、受信信号強度、リファレンス信号受信パワー、リファレンス信号受信品質のうち少なくとも１つに基づいて前記干渉を認知するステップであることを特徴とする請求項１０に記載の第１端末の通信方法。
【請求項１２】
前記第２基地局から前記第１端末への干渉または前記第２端末から前記第１端末への干渉を認知するステップは、予め決定した特定レベルと前記第２基地局から前記第１端末への干渉または前記第２端末から前記第１端末への干渉の比較結果に基づいて、前記第２基地局から前記第１端末への干渉または前記第２端末から前記第１端末への干渉を認知するステップであることを特徴とする請求項１０に記載の第１端末の通信方法。
【請求項１３】
前記第１基地局、前記第１端末、及び前記第２基地局は、時分割二重化方式で動作することを特徴とする請求項１に記載の第１端末の通信方法。
【請求項１４】
第１端末をサービングする第１基地局に隣接し、第２端末をサービングする第２基地局の通信方法において、
前記第２基地局から前記第１端末への干渉または前記第２端末から前記第１端末への干渉に対して、干渉制御を行うためのメッセージを前記第１端末から受信するステップと、
前記メッセージに基づいて前記干渉制御が要求されるか否かを判断するステップと、
前記判断結果に応じて前記干渉制御を行うステップと、
を含み、
前記干渉制御を行うためのメッセージを前記第１端末から受信するステップは、共有チャネルまたはランダムアクセスチャネルを用いて前記干渉制御を行うためのメッセージを前記第１端末から受信するステップを含むことを特徴とする第２基地局の通信方法。
【請求項１５】
前記第２基地局が第２端末をサービングする必要があり、前記第２基地局から前記第１端末への干渉または前記第２端末から前記第１端末への干渉が発生すると予測される場合、前記第１端末に前記干渉制御の必要性に関する情報を送信するステップをさらに含み、
前記干渉制御を行うためのメッセージを前記第１端末から受信するステップは、前記第１端末に前記干渉制御の必要性に関する情報を送信した後、前記干渉制御を行うためのメッセージを前記第１端末から受信するステップであることを特徴とする請求項１４に記載の第２基地局の通信方法。
【請求項１６】
前記干渉制御が要求されるか否かを判断するステップは、前記メッセージに基づいて前記干渉制御に対する前記第１基地局の要求を把握するステップを含み、
前記干渉制御を行うステップは、前記干渉制御に対する前記第１基地局の要求に基づいて前記干渉制御を行うステップであることを特徴とする請求項１４に記載の第２基地局の通信方法。
【請求項１７】
前記メッセージに基づいて前記第１基地局と前記第１端末との間のチャネル情報及び前記第２基地局と前記第１端末との間のチャネル情報、または前記第１基地局と前記第２端末との間のチャネル情報を把握するステップをさらに含み、
前記干渉制御を行うステップは、前記第１基地局と前記第１端末との間のチャネル情報及び前記第２基地局と前記第１端末との間のチャネル情報、または前記第１基地局と前記第２端末との間のチャネル情報に基づいて前記干渉制御を行うステップであることを特徴とする請求項１４に記載の第２基地局の通信方法。
【請求項１８】
前記メッセージはリファレンス信号を含み、前記リファレンス信号は前記第１基地局と前記第１端末との間のチャネル情報を加工することによって生成されることを特徴とする請求項１４に記載の第２基地局の通信方法。
【請求項１９】
第１端末をサービングする第１基地局及び第２端末をサービングする第２基地局を含むマルチセル通信システムにおいて、
前記第１端末は、
前記第１基地局または前記第２基地局から干渉制御に関連するリクエストがあるか、あるいは前記干渉制御を行う必要があると判断された場合、前記干渉制御に関連するメッセージを前記第１基地局と前記第２基地局との間でリレーし、
前記干渉制御に関連するメッセージを前記第１基地局と前記第２基地局との間でリレーするために共有チャネルまたはランダムアクセスチャネルを用いることを特徴とする第１端末。
【請求項２０】
前記干渉制御に関連するメッセージは、前記干渉制御の手続きをトリガーするためのメッセージ、前記第１基地局または前記第２基地局が前記干渉制御の手続きを交渉するためのメッセージ、及び前記第１基地局または前記第２基地局によって行われた干渉制御の実行結果のうち少なくとも１つを含むことを特徴とする請求項１９に記載の第１端末。
【請求項２１】
第１端末をサービングする第１基地局及び第２端末をサービングする第２基地局を含むマルチセル通信システムで、前記第１基地局の通信方法において、
前記第２端末から前記第１基地局への干渉または前記第２基地局から前記第１基地局への干渉を測定するステップと、
前記第１端末で干渉制御を行うためのメッセージを生成し、前記第１端末で生成した前記メッセージを共有チャネルまたはランダムアクセスチャネルを用いて前記第２基地局に送信するよう前記第１端末にリクエストするステップと、
を含むことを特徴とする第１基地局の通信方法。
【請求項２２】
前記第２端末から前記第１基地局への干渉または前記第２基地局から前記第１基地局への干渉に対して独自に干渉制御を行うか、または前記第２基地局と協力して干渉制御を行うステップをさらに含むことを特徴とする請求項２１に記載の第１基地局の通信方法。
【請求項２３】
前記第２基地局から前記メッセージに対する応答を、前記第１端末を経由して受信し、前記干渉制御の実行結果を、前記第１端末を経由して前記第２基地局に送信するステップをさらに含むことを特徴とする請求項２１に記載の第１基地局の通信方法。
【発明の詳細な説明】
【技術分野】
【０００１】
下記の実施形態は、２つのセルの間で発生する干渉による問題を解決するための技術分野に関する。
【背景技術】
【０００２】
近年、マルチセル環境の通信システムに対する関心が高まっている。ここで、マルチセル環境の通信システムは、２つ以上のマクロセルを含み、フェムト基地局、ピコ基地局などの小型基地局を含む小型セル及びマクロセルを含む。
【０００３】
小型セルの一例として、フェムト基地局を含むフェムトセル及びマクロセルを含む通信システムを仮定する。このとき、フェムトセルのカバレッジに属する端末は、一般的に、近接した位置にあるフェムト基地局によってサービングされるため、高い送信率を達成できる。
ただし、マクロセルがフェムトセルの全てまたは一部を含む場合、マクロセルとフェムトセルとの間には干渉が発生することがあり、このような干渉は、マクロセル及びフェムトセルの全てに良くない問題を引き起こす。
【０００４】
マクロセルとフェムトセルとの間で発生する干渉による問題を解決することは重要な問題である。特に、マクロセルとフェムトセルとの間で発生する干渉による問題を解決するために、干渉制御と関連する技術が開発されている。
ここで、干渉制御に関連する技術は、最適のリソーススケジューリング、送信電力制御（代表的に動的スペクトル管理（Ｄｙｎａｍｉｃ  Ｓｐｅｃｔｒｕｍ  Ｍａｎａｇｅｍｅｎｔ）がある）、干渉整列（Ｉｎｔｅｒｆｅｒｅｎｃｅ  Ａｌｉｇｎｍｅｎｔ）、干渉雑音化、干渉中和、マルチアンテナ送信などの様々な形態で具体化される。
【発明の概要】
【課題を解決するための手段】
【０００５】
本発明の一実施形態に係る第１基地局によってサービングされる第１端末の通信方法は、前記第１基地局と隣接する第２基地局から前記第１端末への干渉または前記第２基地局によってサービングされる第２端末から前記第１端末への干渉に対して干渉制御を行うためのメッセージを生成するステップと、前記第２基地局が前記干渉制御を行うか、または前記第１基地局と前記第２基地局とが協力して前記干渉制御を行うように前記メッセージを前記第２基地局に送信するステップとを含む。
【０００６】
前述した方法は、前記第１基地局に前記第１端末のチャネル情報を送信するステップと、前記第１基地局から前記第１端末で干渉が発生していることを表す情報を受信するステップとをさらに含み、前記メッセージを前記第２基地局に送信するステップは、前記第１端末で干渉が発生していることを表す情報を受信したことに応答し、前記メッセージを前記第２基地局に送信するステップであってもよい。
【０００７】
前述した方法は、前記干渉制御の実行結果または前記メッセージに対する応答を前記第１基地局と前記第２基地局との間でリレーするステップをさらに含んでもよい。
【０００８】
前述した方法は、前記第２基地局から前記干渉制御の必要性に関する情報を受信するステップと、前記干渉制御の必要性に関する情報を前記第１基地局に送信するステップとをさらに含み、前記干渉制御を行うためのメッセージを生成するステップは、前記干渉制御の必要性に関する情報に対する前記第１基地局の応答に基づいて、前記干渉制御を行うためのメッセージを生成するステップであってもよい。
【０００９】
前述した方法は、前記第１端末のチャネル情報に基づいて前記第２基地局から前記第１端末への干渉または前記第２基地局によってサービングされる第２端末から前記第１端末への干渉を測定するステップをさらに含み、前記メッセージを前記第２基地局に送信するステップは、前記第２基地局から前記第１端末への干渉または前記第２基地局によってサービングされる第２端末から前記第１端末への干渉に応じて前記メッセージを前記第２基地局に送信するステップであってもよい。
【００１０】
前記第１基地局は、セルラー通信システムでのマクロ基地局であり、前記第２基地局はフェムト基地局またはピコ基地局を含む小型基地局であってもよい。
【００１１】
前記第１端末への干渉に対して干渉制御を行うためのメッセージを生成するステップは、前記第２基地局が前記第１基地局と前記第１端末との間のチャネル情報及び前記第２基地局と前記第１端末との間のチャネル情報、または前記第１基地局と前記第１端末の間とのチャネル情報及び前記第１基地局と前記第２端末の間とのチャネル情報を把握するために用いられるフィードバックメッセージを、前記干渉制御を行うためのメッセージとして生成するステップを含んでもよい。
【００１２】
前記メッセージを前記第２基地局に送信するステップは、共有チャネルまたはランダムアクセスチャネルを用いて前記メッセージを前記第２基地局に送信するステップであってもよい。
【００１３】
前記第１端末への干渉に対して干渉制御を行うためのメッセージを生成するステップは、前記第１基地局と前記第１端末との間のチャネル情報及び周知の信号を結合して前記メッセージを生成するステップであってもよい。
【００１４】
前記第１端末への干渉に対して干渉制御を行うためのメッセージを生成するステップは、前記第１基地局と前記第１端末との間のチャネル情報をリファレンス信号に加工することによって、前記メッセージを生成するステップであってもよい。
【００１５】
前述した方法は、前記第２基地局から前記第１端末への干渉または前記第２端末から前記第１端末への干渉を認知するステップをさらに含み、前記第２基地局から前記第１端末への干渉または前記第２端末から前記第１端末への干渉に対して干渉制御を行うためのメッセージを生成するステップは、前記認知された干渉に応じて前記メッセージを生成するステップであってもよく、前記メッセージを前記第２基地局に送信するステップは、前記認知された干渉に応じて前記メッセージを送信するステップであってもよい。
【００１６】
前記第２基地局から前記第１端末への干渉を認知するステップは、前記第１基地局から受信された信号に対する信号対干渉プラス雑音比、パケットエラー率、またはビットエラー率、受信信号強度、リファレンス信号受信パワー、リファレンス信号受信品質のうち少なくとも１つに基づいて前記干渉を認知するステップであってもよい。
【００１７】
前記第２基地局から前記第１端末への干渉または前記第２端末から前記第１端末への干渉を認知するステップは、予め決定した特定レベルと前記第２基地局から前記第１端末への干渉または前記第２端末から前記第１端末への干渉の比較結果に基づいて、前記第２基地局から前記第１端末への干渉または前記第２端末から前記第１端末への干渉を認知するステップであってもよい。
【００１８】
前記第１基地局、前記第１端末、及び前記第２基地局は、時分割二重化方式で動作してもよい。
【００１９】
本発明の一実施形態に係る第２基地局の通信方法は、第１端末をサービングする第１基地局に隣接し、第２端末をサービングする前記第２基地局から、前記第１端末への干渉または前記第２端末から前記第１端末への干渉に対して干渉制御を行うためのメッセージを、前記第１端末から受信するステップと、前記メッセージに基づいて前記干渉制御が要求されるか否かを判断するステップと、前記判断結果に応じて前記干渉制御を行うステップと、を含む。
【００２０】
前述した方法は、前記第２基地局が第２端末をサービングする必要があり、前記第２基地局から前記第１端末への干渉または前記第２端末から前記第１端末への干渉が発生すると予測される場合、前記第１端末に前記干渉制御の必要性に関する情報を送信するステップをさらに含み、前記干渉制御を行うためのメッセージを前記第１端末から受信するステップは、前記第１端末に前記干渉制御の必要性に関する情報を送信した後、前記干渉制御を行うためのメッセージを前記第１端末から受信するステップであってもよい。
【００２１】
前記干渉制御が要求されるか否かを判断するステップは、前記メッセージに基づいて前記干渉制御に対する前記第１基地局の要求を把握するステップを含み、前記干渉制御を行うステップは、前記干渉制御に対する前記第１基地局の要求に基づいて前記干渉制御を行うステップであってもよい。
【００２２】
前述した方法は、前記メッセージに基づいて前記第１基地局と前記第１端末との間のチャネル情報及び前記第２基地局と前記第１端末との間のチャネル情報、または前記第１基地局と前記第２端末との間のチャネル情報を把握するステップをさらに含み、前記干渉制御を行うステップは、前記第１基地局と前記第１端末の間のチャネル情報及び前記第２基地局と前記第１端末との間のチャネル情報、または前記第１基地局と前記第２端末との間のチャネル情報に基づいて前記干渉制御を行うステップであってもよい。
【００２３】
前記干渉制御を行うためのメッセージを前記第１端末から受信するステップは、共有チャネルまたはランダムアクセスチャネルを用いて前記干渉制御を行うためのメッセージを前記第１端末から受信するステップであってもよい。
【００２４】
前記メッセージはリファレンス信号を含み、前記リファレンス信号は前記第１基地局と前記第１端末との間のチャネル情報を加工することによって生成されるものであってもよい。
【００２５】
本発明の一実施形態に係る第１端末は、第１端末をサービングする第１基地局及び第２端末をサービングする第２基地局を含むマルチセル通信システムにおいて、前記第１基地局または前記第２基地局から干渉制御に関連するリクエストがあるか、あるいは前記干渉制御を行う必要があると判断される場合、前記干渉制御に関連するメッセージを前記第１基地局と前記第２基地局との間でリレーする。
【００２６】
前記干渉制御に関連するメッセージは、前記干渉制御の手続きをトリガーするためのメッセージ、前記第１基地局または前記第２基地局が前記干渉制御の手続きを交渉するためのメッセージ、及び前記第１基地局または前記第２基地局によって行われた干渉制御の実行結果のうち少なくとも１つを含んでもよい。
【００２７】
前記第１端末は、前記干渉制御に関連するメッセージを前記第１基地局と前記第２基地局との間でリレーするために、共有チャネルまたはランダムアクセスチャネルを用いてもよい。
【００２８】
本発明の実施形態に係る第１基地局の通信方法は、第１端末をサービングする第１基地局及び第２端末をサービングする第２基地局を含むマルチセル通信システムにおいて、前記第２端末から前記第１基地局への干渉または前記第２基地局から前記第１基地局への干渉を測定するステップと、前記第１端末で干渉制御を行うためのメッセージを生成し、前記第１端末で生成した前記メッセージを共有チャネルまたはランダムアクセスチャネルを用いて前記第２基地局に送信するよう前記第１端末にリクエストするステップと、を含む。
【００２９】
前述した方法は、前記第２端末から前記第１基地局への干渉または前記第２基地局から前記第１基地局への干渉に対して独自に干渉制御を行うか、または前記第２基地局と協力して干渉制御を行うステップをさらに含んでもよい。
【００３０】
前述した方法は、前記第２基地局から前記メッセージに対する応答を、前記第１端末を経由して受信し、前記干渉制御の実行結果を、前記第１端末を経由して前記第２基地局に送信するステップをさらに含んでもよい。
【発明の効果】
【００３１】
本発明によれば、２つのセル（例えば、マクロセルとフェムトセル）の間で発生する干渉による問題を効率的に解決することができる。
また、本発明の実施形態によれば、端末は干渉制御を行う２つの基地局の間でメッセージをリレーすることによって、干渉制御が要求されるメッセージ交換の過程に対するソリューションを提供することができる。
【００３２】
また、本発明によれば、固有のフィードバックメッセージを用いることによって、基地局は効率的に干渉制御の実行において必要な情報を取得することができる。
また、本発明の実施形態によれば、共有チャネルまたはランダムアクセスチャネルを用いることによって、互いに異なるセルは円滑にチャネル情報を共有することができる。
【００３３】
また、本発明の実施形態によれば、パケットエラー率、ビットエラー率、または信号対干渉プラス雑音比、受信信号強度（ｒｅｃｅｉｖｅｄ  ｓｉｇｎａｌ  ｓｔｒｅｎｇｔｈ）、リファレンス信号受信パワー（ｒｅｆｅｒｅｎｃｅ  ｓｉｇｎａｌ  ｒｅｃｅｉｖｅｄ  ｐｏｗｅｒ）、リファレンス信号受信品質（ｒｅｆｅｒｅｎｃｅ  ｓｉｇｎａｌ  ｒｅｃｅｉｖｅｄ  ｑｕａｌｉｔｙ）などに基づいて効率的に干渉の発生を把握することができる。
【図面の簡単な説明】
【００３４】
【図１】下りリンクの場合において、マクロ端末で発生するフェムト基地局による干渉の例を示す図である。
【図２】上りリンクの場合において、基地局で発生するマクロ端末による干渉の例を示す。
【図３】下りリンクの場合において、基地局と端末との間のチャネルを示す図である。
【図４】図３に示す端末１、基地局１、及び基地局２の動作方法を示した動作フローチャートである。
【図５】上りリンクの場合において、基地局と端末との間のチャネルを示す図である。
【図６】図５に示された端末１、端末２、基地局１、及び基地局２の動作方法を示した動作フローチャートである。
【図７】本発明の一実施形態に係るフレーム構造を示す。
【図８】本発明の他の実施形態に係るフレーム構造を示す。
【図９】第１基地局、第１端末、第２基地局、及び第２端末を含むマルチセル通信システムを示す図である。
【図１０】第１端末で干渉制御が行われるように第１基地局と第２基地局との間でリレーが行われる過程を示す動作フローチャートである。
【図１１】基地局１が端末１における干渉に基づいて干渉制御をトリガーする場合、第１端末で干渉制御が行われるように第１基地局と第２基地局との間でリレーする過程を示す動作フローチャートである。
【図１２】基地局２が干渉制御をトリガーする場合、第１端末で干渉制御が行われるように第１基地局と第２基地局との間でリレーする過程を示す動作フローチャートである。
【図１３】端末１が干渉制御をトリガーする場合、第１端末で干渉制御が行われるように第１基地局と第２基地局との間でリレーする過程を示す動作フローチャートである。
【発明を実施するための形態】
【００３５】
本明細書で用いられる「基地局」は、セルラー通信システムの一般的な基地局だけではなく様々な装置を含む。「基地局」は、端末のような様々な受信機をサービングするために用いられる装置を含む。それだけではなく、本明細書で用いられる「端末」は携帯電話、ノートブック、スマートフォンなどのモバイルデバイスを含み、さらに、基地局または中継機からデータ信号を受信する様々な装置を備える。
【００３６】
また、本明細書で用いられる「フェムト基地局」は、小型基地局の一例である。すなわち、本発明の実施形態では、「フェムト基地局」のみならず、ピコ基地局のような様々な小型基地局にも適用されてもよい。
【００３７】
以下、本発明の実施形態について図面を参照して詳細に説明する。
図１は、下りリンクの場合において、マクロ端末で発生するフェムト基地局による干渉の例を示す図である。
図１を参照すると、マクロセルのカバレッジ１００は、フェムトセルのカバレッジ１１０を含む。ここで、マクロセルはマクロ基地局によって運用され、フェムトセルはフェムト基地局によって運用される。
【００３８】
下りリンクの場合において、マクロ基地局はマクロ端末に信号を送信し、フェムト基地局はフェムト端末に信号を送信する。ここで、「マクロ端末」はマクロ基地局によってサービングされる端末であり、「フェムト端末」はフェムト基地局によってサービングされる端末である。
このとき、マクロ基地局及びフェムト基地局は、それぞれ同一の無線リソースを用いて対応する信号を送信してもよい。
【００３９】
マクロ基地局およびフェムト基地局が同一の無線リソースを用いる場合、マクロセルとフェムトセルとの間には干渉が発生する。特に、図１に示すように、マクロ端末がフェムトセルのカバレッジ１１０と隣接した場合、フェムト基地局はマクロ端末に多量の干渉を与えるようになる。
【００４０】
すなわち、図１に示すマクロ端末に関連し、実線はマクロ基地局からマクロ端末に送信される所望する信号を意味し、点線はフェムト基地局からマクロ端末に送信される望まない信号として干渉信号を意味する。干渉信号の強度が大きい場合、マクロ端末はマクロ基地局から所望する信号を充分に受信できない場合がある。
【００４１】
図２は、上りリンクの場合において基地局で発生するマクロ端末による干渉の例を示す。
図２を参照すると、図１と同様、マクロセルのカバレッジ２００はフェムトセルのカバレッジ２１０を含む。
【００４２】
上りリンクの場合において、マクロ端末はマクロ基地局に該当信号を送信し、フェムト端末もフェムト基地局に該当信号を送信する。このとき、マクロ端末及びフェムト端末が同一の無線リソースを用いる場合、フェムト基地局ではマクロ端末による干渉が発生する。特に、図２に示すように、マクロ端末がフェムトセルのカバレッジ２１０に隣接した場合、マクロ端末はフェムト基地局に多量の干渉を与えることになる。
【００４３】
すなわち、図２のフェムト基地局に関連して、実線はフェムト端末からフェムト基地局に送信される所望する信号を意味し、点線はマクロ端末からフェムト基地局に送信される望まない信号として干渉信号を意味する。干渉信号の強度が大きい場合、フェムト基地局はフェムト端末から所望する信号を充分に受信できない場合がある。
【００４４】
図１及び図２に示すように、マクロ端末もフェムト基地局で干渉が発生する場合、フェムト基地局またはマクロ基地局は干渉制御を実行してもよい。例えば、フェムト基地局またはマクロ基地局は、最適のリソーススケジューリング、送信電力制御（代表的には、動的スペクトル管理がある）、干渉整列、干渉雑音化、干渉中和、マルチアンテナ送信などの干渉制御を実行する。
【００４５】
また、本明細書に記載の干渉制御は、フェムト基地局及びマクロ基地局の全てにおいて協力的に行われてもよく、フェムト基地局またはマクロ基地局において独自に行われてもよい。特に、マクロ基地局が独自に干渉制御を行う場合、マクロ基地局によって行われた干渉制御の実行結果はフェムト基地局に通知され、フェムト基地局は干渉制御の実行結果に応じて動作してもよい。
【００４６】
ただし、フェムトセル及びマクロセルは互いに異なるセルとして互いに独立的であるため、干渉を直接的に制御することは難しい問題である。
例えば、下りリンクの場合において、マクロ端末でフェムト基地局による干渉が発生した場合、マクロ基地局がフェムト基地局を直接制御することは難しい。また、フェムト基地局が干渉制御を実行するためには、マクロ端末に関連する様々なチャネルに情報を把握しなければならないが、このような情報を把握することも多くのオーバーヘッドを発生させることになる。
【００４７】
図３は、下りリンクの場合において、基地局と端末との間のチャネルを示す図である。
図３を参照すると、下りリンクの場合において、基地局１と端末１との間のチャネルをＨ１１、基地局１と端末２との間のチャネルをＨ１２、基地局２と端末１との間のチャネルをＨ２１、基地局２と端末２との間のチャネルをＨ２２と仮定する。このとき、端末１に関連して、チャネルＨ１１は所望する信号に対応するチャネルであり、チャネルＨ２１は干渉信号に対応する干渉チャネルである。
【００４８】
端末１で発生する干渉による問題を解決するために、基地局２は、動的スペクトル管理のような干渉制御を実行してもよい。このとき、基地局２は、チャネルＨ１１及びチャネルＨ２１を把握しなければならない。
【００４９】
基地局２がチャネルＨ１１及びチャネルＨ２１を把握する過程については図４を参照して詳説する。
図４は、図３に示す端末１、基地局１、及び基地局２の動作方法を示した動作フローチャートである。
【００５０】
図４を参照すると、端末１は、基地局１と端末１との間のチャネルＨ１１を測定する（Ｓ４１１）。すなわち、端末１は、基地局１から送信されたパイロット信号などを用いて、周期的または非周期的にチャネルＨ１１を測定する。
【００５１】
また、端末１は、測定された基地局１と端末１と間のチャネルＨ１１に基づいてチャネルＨ１１に対するチャネル情報を生成する（Ｓ４１２）。このとき、チャネルＨ１１に対するチャネル情報は、チャネルＨ１１に対する信号対干渉プラス雑音比に関連する情報などのように、チャネル品質に関連する情報を含んでもよい。
【００５２】
また、端末１はチャネルＨ１１のチャネル情報を基地局１にフィードバックする（Ｓ４１３）。このとき、端末１は既に周知のＣＱＩ（Ｃｈａｎｎｅｌ  Ｑｕａｌｉｔｙ  Ｉｎｆｏｒｍａｔｉｏｎ）フィードバック方式を用いてチャネルＨ１１のチャネル情報を基地局１にフィードバックしてもよい。
【００５３】
また、基地局１はチャネルＨ１１のチャネル情報に基づいて、端末１で干渉が存在するか否かを判断する（Ｓ４２１）。ここで、図４に示すものとは異なって、端末１も自ら干渉が存在するか否かを判断してもよい。
【００５４】
基地局１は、端末１における信号対干渉プラス雑音比、パケットエラー率、またはビットエラー率、受信信号強度（ｒｅｃｅｉｖｅｄ  ｓｉｇｎａｌ  ｓｔｒｅｎｇｔｈ）、リファレンス信号受信パワー（ｒｅｆｅｒｅｎｃｅ  ｓｉｇｎａｌ  ｒｅｃｅｉｖｅｄ  ｐｏｗｅｒ）、リファレンス信号受信品質（ｒｅｆｅｒｅｎｃｅ  ｓｉｇｎａｌ  ｒｅｃｅｉｖｅｄ  ｑｕａｌｉｔｙ））などに基づいて端末１で干渉が存在するか否かを判断してもよい。特に、基地局１は端末１における信号対干渉プラス雑音比、パケットエラー率、またはビットエラー率などを特定レベルと比較することによって、端末１で干渉が存在するか否かを判断してもよい。例えば、端末１における信号対干渉プラス雑音比が特定レベルよりも小さいか、パケットエラー率またはビットエラー率が特定レベルよりも高い場合、端末１で干渉が存在すると判断する。
【００５５】
端末１で干渉が存在しない場合、端末１は、ステップＳ４１１ないしステップＳ４１３を再び行う。ただし、干渉が存在すると判断された場合、基地局１は、端末１で干渉が発生したことを端末１に通知する（Ｓ４２２）。
端末１は、基地局１からの通知に応答して、干渉が発生したことを認知する（Ｓ４１４）。
【００５６】
また、端末１は、干渉が発生したことを認知した場合、フィードバックメッセージを生成する（Ｓ４１５）。ここで、フィードバックメッセージは、基地局１と端末１との間のチャネルＨ１１に対するチャネル情報、及び基地局２と端末１との間のチャネルＨ２１に対するチャネル情報を基地局２に通知するために用いられる。
【００５７】
特に、図７及び図８に関連して詳細に説明すると、本発明の実施形態によれば、基地局２はフィードバックメッセージだけを用いて基地局１と端末１との間のチャネルＨ１１に対するチャネル情報、及び基地局２と端末１との間のチャネルＨ２１に対するチャネル情報を把握することができる。このようなフィードバックメッセージは、次の具体的な例によって把握できるように様々な方式で生成されてもよい。
【００５８】
第１に、端末１は、基地局１と端末１との間のチャネルＨ１１に対するチャネル情報と、プリアンブルまたはパイロット信号のような周知の信号を結合することによって、フィードバックメッセージを生成してもよい。このとき、基地局２は、フィードバックメッセージに含まれた基地局１と端末１との間のチャネルＨ１１に対するチャネル情報を把握することができる。また、基地局２はフィードバックメッセージを受信する過程において、フィードバックメッセージに含まれたプリアンブルまたはパイロット信号のような周知の信号を用いて基地局２と端末１との間のチャネルＨ２１に対するチャネル情報を推定することができる。厳密に言えば、基地局２は、フィードバックメッセージを用いて基地局２から端末１へのチャネルに対するチャネル情報を推定するのではなく、端末１から基地局２へのチャネルに対するチャネル情報を推定する。
ただし、時分割複信（Ｔｉｍｅ  Ｄｉｖｉｓｉｏｎ  Ｄｕｐｌｅｘ：ＴＤＤ）システムにおいては、基地局２から端末１へのチャネルと端末１から基地局２へのチャネルは実質的に同一と見なしてもよい。したがって、基地局２は、端末１から基地局２へのチャネルに対するチャネル情報を推定することによって、基地局２から端末１へのチャネルに対するチャネル情報を推定することを代替できる。
【００５９】
第２に、端末１は、基地局１と端末１との間のチャネルＨ１１に対するチャネル情報を加工することによって、フィードバックメッセージを生成してもよい。特に、端末１は、基地局１と端末１との間のチャネルＨ１１に対するチャネル情報をリファレンス信号に加工してもよい。
【００６０】
例えば、端末１は、基地局１と端末１との間のチャネルＨ１１のＳＩＮＲと基地局１のセルＩＤに基づいて基地局１と端末１との間のチャネルＨ１１に対するチャネル情報をＣＡＺＡＣ（Ｃｏｎｓｔａｎｔ  Ａｍｐｌｉｔｕｄｅ  Ｚｅｒｏ  ＡｕｔｏＣｏｒｒｅｌａｔｉｏｎ）シーケンスのような直交（Ｏｒｔｈｏｇｏｎａｌ）リファレンス信号に加工してもよい。より具体的な例として、基地局１と端末１との間のチャネルＨ１１のＳＩＮＲが属する範囲に応じて、基地局１と端末１との間のチャネルＨ１１に対するチャネル情報は互いに異なる直交リファレンス信号にマッピングされてもよい。このような場合、基地局２は受信される直交リファレンス信号のパターンを確認することによって、基地局１と端末１との間のチャネルＨ１１に対するチャネル情報（より正確にＳＩＮＲの範囲）を把握することができる。また、基地局２は、受信される直交リファレンス信号を用いて基地局２と端末１との間のチャネルＨ２１に対するチャネル情報を推定することができる。
【００６１】
上記において、端末１がフィードバックメッセージを生成する方法に対する２種類の例を説明した。ただし、端末１は、上記にて説明した例の他にも様々な方式によって基地局２が基地局１と端末１との間のチャネルＨ１１に対するチャネル情報を把握すると同時に、基地局２と端末１との間のチャネルＨ２１に対するチャネル情報を把握できるようにフィードバックメッセージを生成してもよい。
【００６２】
また、端末１は、生成されたフィードバックメッセージを基地局２に提供する（Ｓ４１６）。このとき、端末１は、共有チャネルを用いてもよく、ランダムアクセスチャネルを用いてもよい。特に、ランダムアクセスチャネルを用いる場合、端末１は、衝突の発生に備えてフィードバックメッセージを直交リファレンス信号に加工してもよい。端末１が共有チャネル及びランダムアクセスチャネルを用いることについて、図７及び図８を参照して詳細に説明する。
【００６３】
また、上記にて説明したように、基地局２は、端末１から提供されたフィードバックメッセージに基づいて、基地局２と端末１との間のチャネルＨ２１に対するチャネル情報を推定すると同時に、基地局１と端末１との間のチャネルＨ１１に対するチャネル情報も把握する（Ｓ４３１）。
【００６４】
さらに、基地局２は、基地局２と端末１との間のチャネルＨ２１に対するチャネル情報、及び基地局１と端末１との間のチャネルＨ１１に対するチャネル情報に基づいて、動的スペクトル管理などの様々な方式によって干渉制御を実行する（Ｓ４３２）。
【００６５】
すなわち、本発明の実施形態によれば、端末１は、ＳＩＮＲ、ＰＥＲ、ＢＥＲなどに基づいて、効率的に干渉が発生したか否かを把握してもよい。また、端末１は、基地局２と端末１との間のチャネルを別に推定しないため、基地局１及び基地局２が必ず直交するパイロットを用いる必要がない。また、基地局２は、１つのフィードバックメッセージを介して基地局２と端末１との間のチャネルＨ２１に対するチャネル情報、及び基地局１と端末１との間のチャネルＨ１１に対するチャネル情報を同時に把握することができるため、オーバーヘッドを最小化することができる。
【００６６】
図５は、上りリンクの場合において、基地局と端末との間のチャネルを示す図である。
図５を参照すると、上りリンクの場合において、端末１と基地局１との間のチャネルをＨ１１、端末１と基地局２との間のチャネルをＨ１２、端末２と基地局１との間のチャネルをＨ２１、端末２と基地局２との間のチャネルをＨ２２であると仮定する。このとき、基地局２に関連して、チャネルＨ２２は、所望する信号に対応するチャネルであり、チャネルＨ１２は、干渉信号に対応する干渉チャネルである。
【００６７】
基地局２で発生する干渉による問題を解決するために、基地局１は動的スペクトル管理のような干渉制御を実行してもよい。このとき、基地局２はチャネルＨ１２及びチャネルＨ２２を把握しなければならない。
基地局２がチャネルＨ１２及びチャネルＨ２２を把握する過程に対しては図６を参照して詳細に説明する。
【００６８】
図６は、図５に示された端末１、端末２、基地局１、及び基地局２の動作方法を示した動作フローチャートである。
図６を参照すると、基地局２は、端末２と基地局２との間のチャネルＨ２２を測定する（Ｓ６１１）。このとき、基地局２は、端末２から送信されたサウンディングパケットを用いてチャネルＨ２２を測定する。ここで、チャネルＨ２２を測定することは、チャネルＨ２２の利得またはチャネルＨ２２に対するＳＩＮＲを測定することを含む概念である。
【００６９】
また、端末２は、使用チャネルの品質に関連する端末２のＳＩＮＲを基地局２に報告する（Ｓ６２１）。このとき、端末２は既に周知のＣＱＩフィードバック方式によって端末２のＳＩＮＲを基地局２に報告してもよい。
【００７０】
また、基地局２は、測定されたチャネルＨ２２のチャネル情報（例えば、ＳＩＮＲ）に基づいて基地局２に干渉が存在するか否かを判断する（Ｓ６１２）。すなわち、基地局２は、基地局２へのＳＩＮＲ、ＰＥＲ、ＢＥＲなどに基づいて基地局２で干渉が存在するか否かを判断する。
【００７１】
基地局２で干渉が存在しない場合、基地局２は、ステップ６１１ないしステップ６１２を再び行う。ただし、干渉が存在する場合、基地局２は、フィードバックメッセージを生成する（Ｓ６１３）。ここで、端末１は、基地局２と端末２との間のチャネル情報と、基地局２と端末１と間のチャネル情報を把握するために用いられる。
【００７２】
すなわち、基地局２は、チャネルＨ２２のチャネル情報とパイロット信号またはプリアンブルと共に周知の信号を結合してフィードバックメッセージを生成してもよい。それだけではなく、上述したものと類似に、基地局２は、チャネルＨ２２のチャネル情報をＣＡＺＡＣシーケンスのようなリファレンス信号に加工することによって、フィードバックメッセージを生成してもよい。その他にも、フィードバックメッセージを生成する方法は様々である。
【００７３】
また、基地局２は、生成されたフィードバックメッセージを共有チャネルまたはランダムアクセスチャネルを用いて端末１に提供する（Ｓ６１４）。  このとき、端末１は、フィードバックメッセージからチャネルＨ２２のチャネル情報を把握し、フィードバックメッセージを用いてチャネルＨ１２のチャネル情報を推定する（Ｓ６３１）。すなわち、端末１はフィードバックメッセージからチャネルＨ２２のチャネル情報を把握することができ、フィードバックメッセージに含まれたパイロット信号またはプリアンブルを用いてチャネルＨ１２のチャネル情報を推定してもよい。また、端末１はリファレンス信号の形態を有するフィードバックメッセージからチャネルＨ１２のチャネル情報を推定すると同時に、チャネルＨ２２のチャネル情報を把握することができる。
【００７４】
また、端末１は、チャネルＨ１２のチャネル情報及びチャネルＨ２２のチャネル情報を基地局１に送信する（Ｓ６３２）。このとき、基地局１は、チャネルＨ１２のチャネル情報及びチャネルＨ２２のチャネル情報に基づいて干渉制御を実行する（Ｓ６３３）。
【００７５】
図７は、本発明の一実施形態に係るフレーム構造を示す。
図７を参照すると、本発明の実施形態は、フィードバックメッセージのために共有チャネルを用いてもよい。図７に示す共有サブフレームは共有チャネルのためのサブフレームを示す。
【００７６】
全体フレームは、下りリンクサブフレーム及び上りリンクサブフレームを含み、さらに共有サブフレームを含む。共有サブフレームは、端末または基地局がフィードバックメッセージを送信するために用いられる。
【００７７】
すなわち、端末または基地局は、送信しようとするチャネルのチャネル情報としてＳＩＮＲと該当セルのＩＤを「メッセージ」項目に挿入し、周知の信号として「プリアンブル」を「メッセージ」項目に結合してフィードバックメッセージを生成する。そして、端末または基地局は、共有サブフレームの一部または全てを用いてフィードバックメッセージを送信する。
【００７８】
図８は、本発明の他の実施形態に係るフレーム構造を示す。
図８を参照すると、本発明の他の実施形態は、フィードバックメッセージのために、ランダムアクセス（Ｒａｎｄｏｍ  Ａｃｃｅｓｓ、ＲＡ）チャネルを用いてもよい。
【００７９】
全体フレームは、下りリンクサブフレーム及び上りリンクサブフレームを含み、さらにランダムアクセスチャネルを含む。ランダムアクセスチャネルは、様々な装置によって用いられてもよく、特に端末または基地局がフィードバックメッセージを送信するために用いられてもよい。
【００８０】
上述したように、端末または基地局が送信しようとするチャネル情報及びセルＩＤに基づいて、ＣＡＺＡＣシーケンスのようなリファレンス信号を生成したと仮定する。このとき、端末または基地局によって生成されたリファレンス信号は、他の装置によって生成されたリファレンス信号と直交するため、端末または基地局は、衝突することなくチャネル情報を有効に送信できる。
【００８１】
このとき、リファレンス信号を受信する装置は、リファレンス信号に対応するチャネル情報を抽出することができ、リファレンス信号を用いてリファレンス信号の送信経路に対応するチャネルのチャネル情報を推定することができる。
【００８２】
本発明に係る基地局または端末の動作方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープなどの磁気媒体、ＣＤ−ＲＯＭ、ＤＶＤのような光記録媒体、光ディスクなどの光磁気媒体、及びＲＯＭ、ＲＡＭ、フラッシュメモリなどのプログラム命令を保存して実行するように特別に構成されたハードウェア装置が含まれてもよい。プログラム命令の例としては、コンパイラによって生成される機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【００８３】
添付の図面には記載されていないが、サービング基地局によってサービングされる端末は、チャネル測定部、干渉認知部、メッセージ生成部、及びメッセージ提供部を備える。
チャネル測定部は、サービング基地局と端末との間のチャネル情報を周期的または非周期的に生成する。
【００８４】
また、干渉認知部は、隣接基地局による干渉を認知する。干渉認知部は、ＳＩＮＲ、ＰＥＲ、ＢＥＲ、受信信号強度、リファレンス信号受信パワー、リファレンス信号受信品質などの様々なファクターなどを考慮して隣接基地局による干渉を認知してもよく、サービング基地局から送信された干渉が発生したことを通知する通知に応じて隣接基地局による干渉を認知してもよい。
【００８５】
また、メッセージ生成部は、隣接基地局においてサービング基地局と端末との間のチャネル情報及び隣接基地局と端末との間のチャネル情報を把握するために用いられるフィードバックメッセージを生成する。このとき、メッセージ生成部は、サービング基地局と端末との間のチャネル情報及び周知の信号を結合してフィードバックメッセージを生成してもよく、サービング基地局と端末との間のチャネル情報をリファレンス信号に加工することによってフィードバックメッセージを生成してもよい。
【００８６】
また、メッセージ提供部は、隣接基地局にフィードバックメッセージを提供する。このとき、メッセージ提供部は、共有チャネルまたはランダムアクセスチャネルを用いてフィードバックメッセージを提供してもよい。
【００８７】
図１〜図８及び前述した説明は、主に図３の端末１がフィードバックメッセージを図３に示す基地局２に提供する実施形態と、図５の基地局２がフィードバックメッセージを図５に示す端末１に提供する実施形態に関する。
次に、図３または図５に示す端末１または端末２が、干渉制御を行う過程においてリレーが行われる実施形態について詳細に説明する。
【００８８】
図９は、第１基地局、第１端末、第２基地局、及び第２端末を備えるマルチセル通信システムを示す図である。
図９を参照すると、マルチセル通信システムは、第１基地局９１０、第１端末９２０、第２端末９３０、及び第２基地局９４０を備え、第１基地局９１０及び第１端末９２０は１つのセルを形成し、第２基地局９４０及び第２端末９３０も他の１つのセルを形成する。すなわち、第１端末９２０は、第１基地局９１０によってサービングされ、第２端末９３０は、第２基地局９４０によってサービングされる。
図９に示す第１基地局９１０及び第２基地局９４０、または第２基地局９４０及び第１基地局９１０の関係は、マクロ基地局−ピコ基地局、マクロ基地局−フェムト基地局、マクロ基地局−マクロ基地局の関係であり得る。
【００８９】
第２基地局９４０または第２端末９３０によって、第１基地局９１０または第１端末９２０では干渉が発生することがある。
より具体的には、第１基地局９１０及び第１端末９２０が下りリンク通信を行う場合、第１端末９２０には、第２端末９３０の上りリンク通信による干渉、または第２基地局９４０の下りリンク通信による干渉が発生することがある。
【００９０】
このような干渉は第１基地局９１０と第２基地局９４０との間の干渉制御によって解決され、上述したように、干渉制御は最適のリソーススケジューリング、送信電力制御（代表的に、動的スペクトル管理（Ｄｙｎａｍｉｃ  Ｓｐｅｃｔｒｕｍ  Ｍａｎａｇｅｍｅｎｔ）がある）、干渉整列（Ｉｎｔｅｒｆｅｒｅｎｃｅ  Ａｌｉｇｎｍｅｎｔ）、干渉雑音化、干渉中和、マルチアンテナ送信などを含んでもよい。干渉制御は、第１基地局９１０及び第２基地局９４０の全てによって協力的に行われてもよく、第１基地局９１０及び第２基地局９４０のいずれか１つによって独自に行われてもよい。
特に、第１基地局９１０が独自に干渉制御を行う場合、第１基地局９１０によって行われた干渉制御の実行結果は、第２基地局９４０に通知され、第２基地局９４０は、干渉制御の実行結果に応じて動作してもよい。例えば、第１基地局９１０は、特定の時間リソース及び特定の周波数リソースで、第２基地局９４０または第２端末９３０が沈黙（ｓｉｌｅｎｔ）することを第２基地局９４０に命令してもよい。
【００９１】
干渉制御を行うためには、第１基地局９１０と第２基地局９４０との間でメッセージ交換が行われなければならず、本発明の実施形態によれば、第１基地局９１０及び第２基地局９４０は、第１基地局９１０によってサービングされる第１端末９２０を経由して干渉制御を行うためのメッセージを交換してもよい。
すなわち、第１端末９２０は、干渉制御を行うためのメッセージを第１基地局９１０と第２基地局９４０との間でリレーすることによって、より効率的に干渉制御を支援することができる。
例えば、図１〜図８を参照して説明したように、第１基地局９１０及び第２基地局９４０がチャネル情報をよって効率的に共有できるよう、第１端末９２０は「フィードバックメッセージ」を第２基地局９４０に送信してもよい。
下記において、第１端末９２０が、チャネル情報だけではなく様々な情報、指示子などを含んでいる干渉制御のためのメッセージを、リレーする技術について詳細に説明する。
【００９２】
図１０は、第１端末で干渉制御が行われるように第１基地局と第２基地局との間でリレーを行う過程を示す動作フローチャートである。
図１０に関連して図９に示す第１端末を端末１、第２端末を端末２、第１基地局を基地局１、第２基地局を基地局２のように表示する。
【００９３】
図１０を参照すると、端末１、端末２、基地局１、基地局２のうち少なくとも１つは干渉制御を行う必要があるか否かを判断する（Ｓ１０１０）。干渉制御を行う必要があるか否かは、端末１、端末２、基地局１、基地局２のうち少なくとも１つによって様々な基準に応じて判断される。
【００９４】
例えば、端末１において、基地局２及び端末２によって干渉が発生する場合、端末１のチャネル情報（例えば、信号対干渉プラス雑音比、パケットエラー率（ｐａｃｋｅｔ  ｅｒｒｏｒ  ｒａｔｅ）、またはビットエラー率（ｂｉｔ  ｅｒｒｏｒ  ｒａｔｅ）、受信信号強度（ｒｅｃｅｉｖｅｄ  ｓｉｇｎａｌ  ｓｔｒｅｎｇｔｈ）、リファレンス信号受信パワー（ｒｅｆｅｒｅｎｃｅ  ｓｉｇｎａｌ  ｒｅｃｅｉｖｅｄ  ｐｏｗｅｒ）、リファレンス信号受信品質（ｒｅｆｅｒｅｎｃｅ  ｓｉｇｎａｌ  ｒｅｃｅｉｖｅｄ  ｑｕａｌｉｔｙ））に基づいて干渉制御を行う必要があるかを判断する。
このとき、端末１は、自ら干渉制御を行う必要があるかを判断してもよく、端末１の基地局１または基地局２が干渉制御を行う必要があるかを判断できるよう、基地局１または基地局２にチャネル情報を提供してもよく、また、端末１のチャネル情報がなくても干渉制御を行う必要があるかを判断してもよい。より具体的に、基地局２は、端末１または端末２の存在の認知に応答して干渉制御を行う必要があるかを判断してもよい。
【００９５】
任意のデバイスによって干渉制御を行う必要があると判断されると、干渉制御の手続きがトリガーされる（Ｓ１０２０）。干渉制御の手続きをトリガーすることは、端末１、端末２、基地局１、または基地局２のうち任意のデバイスによって行われてもよい。下記で具体的に説明するが、干渉制御の手続きがトリガーされる過程で用いられるメッセージ及び情報は、端末１を経由して基地局１及び基地局２にリレーされてもよい。
【００９６】
干渉制御の手続きがトリガーされると、端末１は、干渉制御のためのメッセージを生成し（Ｓ１０３０）、そのメッセージを基地局２に送信する（Ｓ１０４０）。このとき、干渉制御のためのメッセージは、図１〜図８を参照して説明した「フィードバックメッセージ」を含むだけではなく、干渉制御を行うために基地局１と基地局２との間で交換される様々な情報を含んでもよい。
【００９７】
例えば、基地局１は、基地局２が使用してはいけない無線リソースを識別した後、その無線リソースに関する情報を端末１に送信すると、端末１はその無線リソースに関する情報を「メッセージ」にして基地局２に送信してもよい。
このような場合、基地局２は、「メッセージ」に基づいて端末１または基地局１における干渉問題を把握することができ、干渉制御を行うために基地局１と協力（ｃｏｏｒｄｉｎａｔｉｏｎ）してもよい。
【００９８】
他の例として、基地局２は干渉制御の必要性のような情報を「リクエスト（ｒｅｑｕｅｓｔ）」の形態に端末１へ送信することによって、干渉制御の手続きをトリガーする場合、端末１は、干渉制御の必要性のような情報をメッセージとして生成し、基地局１にリレーしてもよい。このとき、基地局１は、干渉制御の手続きを受諾するメッセージを、端末１を経由して基地局２に送信してもよく、それによって基地局１と基地局２との間には干渉制御が行われる。
前述した干渉制御の必要性のような情報または干渉制御の手続きを受諾するメッセージなどは、端末１を介して基地局１と基地局２との間で交換されてもよく、特定ビット（例えば、１ｂｉｔ）の指示子であってもよい。
【００９９】
端末１が干渉制御を行うためのメッセージを基地局２に送信すると、基地局１及び基地局２は干渉制御のための協力を行なう（Ｓ１０５０）。図１０には、端末１がメッセージを基地局２にメッセージを１回送信するものと図示したが、本発明の実施形態によると、端末１を介して基地局１と基地局２との間では様々なメッセージが交換され得る。
【０１００】
干渉制御の実行結果は、端末１を介して基地局１と基地局２との間でリレーされる（Ｓ１０６１、Ｓ１０６２、Ｓ１０７０）。干渉制御の実行結果は様々であるが、例えば、基地局２及び端末２によって用いられる無線リソースに関する情報、送信電力に関する情報などを含む。
また、基地局１または基地局２が干渉制御の実行結果に応じる命令も端末１を経由してリレーしてもよく、その命令に対する応答もリレーされてもよい。
【０１０１】
図１１は、基地局１が端末１における干渉に基づいて干渉制御をトリガーする場合、第１端末で干渉制御が行われるように第１基地局と第２基地局との間でリレーする過程を示す動作フローチャートである。
【０１０２】
図１１を参照すると、端末１は、第１基地局から受信された信号に対する信号対干渉プラス雑音比、パケットエラー率、またはビットエラー率、受信信号強度、リファレンス信号受信パワー、リファレンス信号受信品質などの端末１のチャネル情報を測定する（Ｓ１１１０）。ここで、端末１のチャネル情報は端末１から基地局２、または端末２によって発生する干渉を表し得る。
【０１０３】
このとき、端末１は、基地局１にチャネル情報をフィードバックし（Ｓ１１２０）、基地局１は、チャネル情報に基づいて端末１で干渉の量が閾値よりも大きいか否かを判断する（Ｓ１１３０）。もし、端末１における干渉の量が閾値よりも大きければ、基地局１は第１端末で干渉が発生していることを表す情報（干渉通知情報）を第１端末に送信する（Ｓ１１４０）。ここで、干渉通知情報は、特定ビットの指示子の形態またはリクエストの形態であって、端末１に提供されてもよい。それだけではなく、干渉通知情報は、基地局２が使用しない無線リソースに関する情報を含んでもよい。
【０１０４】
端末１で干渉が発生していることを表す情報を受信すると、端末１は、干渉制御を行うためのメッセージを生成する（Ｓ１１５０）。例えば、端末１は基地局２が用いてはいけない無線リソースに関する情報、干渉制御を実行しようとする基地局１のリクエストなどをメッセージとして生成してもよい。
【０１０５】
端末１は、干渉が発生していることを表す情報を、干渉制御を行うためのメッセージに変形して基地局２に送信し（Ｓ１１６０）、これによって基地局１及び基地局２は、干渉制御のための協力を行なう（Ｓ１１７０）。
【０１０６】
干渉制御の実行結果は、端末１を介して基地局１と基地局２との間でリレーされる（Ｓ１１８１、Ｓ１１８２、Ｓ１１９０）。
干渉制御の実行結果は様々であり、例えば、基地局２及び端末２によって用いられる無線リソースに関する情報、送信電力に関する情報などを含む。
また、基地局１または基地局２が干渉制御の実行結果による命令を、端末１を経由してリレーしてもよく、その命令に対する応答をリレーしてもよい。
【０１０７】
図１２は、基地局２が干渉制御をトリガーする場合、第１端末で干渉制御が行われるように第１基地局と第２基地局との間でリレーする過程を示す動作フローチャートである。
図１２を参照すると、端末２は基地局２に接続し（Ｓ１２１０）、基地局２は、端末２が接続することに応答して干渉制御が必要であるかを判断する（Ｓ１２２０）。基地局２は、端末１または基地局１の相対的な位置などを考慮して、基地局２と端末２との間の通信に応じて端末１または基地局１で発生する干渉を予測することによって、干渉制御が必要であるかを判断してもよい。
【０１０８】
干渉制御が必要であると判断されると、基地局２は、干渉制御の必要性に関する情報を端末１に送信する（Ｓ１２３０）。この干渉制御の必要性に関する情報は、干渉制御の手続きを行うことに対するリクエストであってもよい。
【０１０９】
端末１は、その干渉制御の必要性に関する情報を基地局１に送信し（Ｓ１２４０）、基地局１からその干渉制御の必要性に関する情報の応答を受信する（Ｓ１２５０）。このとき、その応答は、リクエストに関するものであり得る。そして、端末１は、応答に基づいて干渉制御を行うためのメッセージを生成し、そのメッセージを基地局２に送信する（Ｓ１２６０、Ｓ１２７０）。
【０１１０】
基地局２が端末１から送信されたメッセージを受信すると、基地局１及び基地局２は、干渉制御のための協力を行なう（Ｓ１２８０）。
干渉制御の実行結果は、端末１を介して基地局１と基地局２との間でリレーされる（Ｓ１２９１、Ｓ１２９２、Ｓ１２９３）。干渉制御の実行結果は様々であり、例えば、基地局２及び端末２によって用いられる無線リソースに関する情報、送信電力に関する情報などを含む。
また、基地局１または基地局２が干渉制御の実行結果による命令を、端末１を経由してリレーしてもよく、その命令に対する応答をリレーしてもよい。
【０１１１】
図１３は、端末１が干渉制御をトリガーする場合、第１端末で干渉制御が行われるように第１基地局と第２基地局との間でリレーする過程を示す動作フローチャートである。
図１３を参照すると、端末１は、ＳＩＮＲ、ＰＥＲ、ＢＥＲ、受信信号強度、リファレンス信号受信パワー、リファレンス信号受信品質などのチャネル情報を用いて干渉を測定する（Ｓ１３１０）。そして、端末１は干渉の量と閾値とを比較し（Ｓ１３２０）、干渉の量が閾値よりも大きい場合、干渉制御のためのメッセージを生成する（Ｓ１３３０）。このとき、干渉制御のためのメッセージは、干渉制御の手続きをトリガーするためのメッセージを含んでもよい。端末１は、干渉制御のためのメッセージを基地局２に送信する（Ｓ１３４０）。
【０１１２】
基地局２が端末１から送信されたメッセージを受信すると、基地局１及び基地局２は、干渉制御のための協力を行なう（Ｓ１３５０）。
干渉制御の実行結果は、端末１を介して基地局１と基地局２との間でリレーされる（Ｓ１３６１、Ｓ１３６２、Ｓ１３７０）。干渉制御の実行結果は様々であり、例えば、基地局２及び端末２によって用いられる無線リソースに関する情報、送信電力に関する情報などを含む。また、基地局１または基地局２が干渉制御の実行結果による命令を、端末１を経由してリレーし、その命令に対する応答をリレーしてもよい。
【０１１３】
以下は、再び図９を参照して第１基地局９１０で干渉が発生する場合について説明する。
図９を参照すると、第２端末９３０の上りリンク通信または第２基地局９４０の下りリンク通信によって、第１基地局９１０では第２端末９３０からの干渉または第２基地局９４０からの干渉が発生することがある。
【０１１４】
第１基地局９１０で干渉が発生する場合、第１基地局９１０は干渉を測定し、干渉制御を行う必要があるか否かを判断する。もし、干渉制御を行う必要があると判断されると、第１基地局９１０は、第１端末９２０が干渉制御を行うためのメッセージを生成し、メッセージを第２基地局９４０に送信することを第１端末９２０にリクエストしてもよい。
【０１１５】
例えば、第１基地局９１０は、第１端末９２０が第２基地局９４０で干渉制御の手続きをトリガーするためのメッセージを送信することをリクエストしてもよく、第１端末は、第１基地局９１０のリクエストに応答して干渉制御の手続きをトリガーするためのメッセージを第２基地局９４０に送信してもよい。このとき、第２基地局９４０は、干渉制御の手続きをトリガーするためのメッセージに対する応答を、第１端末９２０を経て第１基地局９１０に送信してもよい。
【０１１６】
他の例として、第１基地局９１０は、干渉制御の実行結果に関する情報を、第１端末９２０を経由して第２基地局９４０に送信してもよい。このとき、干渉制御は、第１基地局９１０及び第２基地局９４０の全てによって協力的に行われてもよく、第１基地局９１０によって独自に行われてもよい。
【０１１７】
図９〜図１３を参照して、端末１が基地局１と基地局２との間でメッセージをリレーする実施形態を説明した。ここで、図１ないし図８を参照して説明した「フィードバックメッセージ」に関する内容も図９〜図１３にそのまま適用され得る。
【０１１８】
すなわち、端末１は、フィードバックメッセージを、干渉制御を行うためのメッセージに生成してもよく、第２基地局は、フィードバックメッセージを用いて第１基地局と第１端末との間のチャネル情報と、第２基地局と第１端末との間のチャネル情報を把握することができる。また、端末１は、共有チャネルまたはランダムアクセスチャネルを用いてメッセージを基地局２に送信してもよい。
【０１１９】
また、端末１は、第１基地局と第１端末との間のチャネル情報及び周知の信号（ｗｅｌｌ−ｋｎｏｗｎ  ｓｉｇｎａｌ）を結合してメッセージを生成してもよく、第１基地局と第１端末との間のチャネル情報を予め約束されたリファレンス信号に加工してもよい。
【０１２０】
上述したように本発明を限定された実施形態と図面とによって説明したが、本発明は、上記の実施形態に限定されず、本発明が属する分野における通常の知識を有する者であれば、このような実施形態から多様な修正及び変形をすることが可能である。
したがって、本発明の範囲は、開示された実施形態に限定されて定められるものではなく、特許請求の範囲だけではなく特許請求の範囲と均等なものなどによって定められる。
【図１】
0005659419.tif 000002
【図２】
0005659419.tif 000003
【図３】
0005659419.tif 000004
【図４】
0005659419.tif 000005
【図５】
0005659419.tif 000006
【図６】
0005659419.tif 000007
【図７】
0005659419.tif 000008
【図８】
0005659419.tif 000009
【図９】
0005659419.tif 000010
【図１０】
0005659419.tif 000011
【図１１】
0005659419.tif 000012
【図１２】
0005659419.tif 000013
【図１３】
0005659419.tif 000014